(57)【要約】【課題】振れ止め用のケース固定金具を接続金具と補強部材を介して外装ケースの天板と背面板と左右の側板とに固定する壁面固定構造を提供する。【解決手段】天板(6) と背面板(7) と前面板(8) と左右の側板(9,10)とからなる外装ケース(2) の内部に貯湯タンク(3) を内蔵した貯湯ユニット(1) を建物の壁面(W) に固定するための壁面固定構造(20)は、外装ケース(2) を建物の壁面(W) に固定するためのケース固定金具(21)と、外装ケース(2) の内面に固定された補強部材(22)と、ケース固定金具(21)と補強部材(22)とを接続固定するための接続金具(28)とを備え、補強部材(22)は、外装ケース(2) のうちの天板(6) と背面板(7) と左右の側板(9,10)とに固着されている。【選択図】図３
2018031519.tif 000002
【特許請求の範囲】
【請求項１】
天板と背面板と前面板と左右の側板とからなる外装ケースの内部に貯湯タンクを内蔵した貯湯ユニットを建物の壁面に固定するための壁面固定構造において、
前記外装ケースを建物の壁面に固定するためのケース固定金具と、
前記外装ケースの内面に固定された補強部材と、
前記ケース固定金具と補強部材とを接続固定するための接続金具とを備え、
前記補強部材は、外装ケースのうちの前記天板と背面板と左右の側板とに固着されていることを特徴とする壁面固定構造。
【請求項２】
前記補強部材は、前記天板と背面板と左右の側板の鉛直壁部に固着されていることを特徴とする請求項１に記載の壁面固定構造。
【請求項３】
前記接続金具は、前記背面板に固着される鉛直板部と、この鉛直板部の上端から天板の上面側へ屈曲され且つ前記天板との間に所定の隙間を空けて位置する水平板部とを有し、
前記鉛直板部が前記背面板を挟んで前記補強部材にビス固定されていると共に、前記水平板部に前記ケース固定金具がビス固定されていることを特徴とする請求項１又は２に記載の壁面固定構造。
【発明の詳細な説明】
【技術分野】
【０００１】
本発明は、貯湯ユニットの耐震性向上のため、貯湯ユニットの外装ケースを建物の壁面に固定する壁面固定構造に関する。
【背景技術】
【０００２】
貯湯ユニットの耐震性向上のため、貯湯ユニットの外装ケースを建物の壁面に振れ止め金具を介して固定する種々の壁面固定構造が提案されている。
【０００３】
特許文献１に記載の貯湯給湯装置の筐体の壁面固定構造においては、筐体の天板を建物の壁面に固定する壁固定金具は、長い矩形板の端部から直角に屈曲した短い矩形板とからなるＬ形の壁固定金具であり、長い矩形板には２本の長穴が形成され、各長穴に直交方向へ分岐した複数の溝穴が形成され、短い矩形板には複数のビス穴が形成されている。
【０００４】
貯湯給湯装置の設置時には、短い矩形板の複数のビス穴と複数のビスを介して短い矩形板を建物の壁面に固定し、長い矩形板を筐体の天面に当接させ、２本の長穴と２本のビスを介して長い矩形板を筐体の天面に固定する。
【０００５】
特許文献２に記載の貯湯給湯装置の耐震構造においては、外装ケースの天板の内面に複数の補強金具が固定され、天板の上面側に断面Ｌ形の複数の上部振れ止め金具を配置し、その上部振れ止め金具の端部を天板を挟んで補強金具にビス固定し、上部振れ止め金具の外端を建物の壁面にビス固定している。
【先行技術文献】
【特許文献】
【０００６】
【特許文献１】特開２０１５−２８４０２号公報
【特許文献２】特許第５８７４５５９号公報
【発明の概要】
【発明が解決しようとする課題】
【０００７】
特許文献１の壁面固定構造では、壁固定金具を筐体の天板に直接固定する構造であるため、壁固定金具の長い矩形板を筐体の天板にビス固定する必要があり、天板に複数のビスを貫通させることになる。この場合、天板上の雨水が複数のビス穴から筐体内へ侵入し、筐体の内部に錆が発生したり、電気信号系をショートさせたりする等の問題がある。
【０００８】
しかも、壁固定金具を筐体の薄板製の天板に固定するだけであるから、地震荷重に耐える十分な強度、剛性を確保することは困難である。
【０００９】
特許文献２の貯湯給湯装置の耐震構造においても、振れ止め用の補強金具を外装ケースの天板に直接固定する構造であるため、外装ケースの天板に複数のビスを貫通させる必要があり、天板上の雨水が複数のビス穴から外装ケース内へ侵入し、外装ケースの内部に錆が発生したり、電気信号系をショートさせたりする等の問題がある。
尚、天板に部材をビス固定する場合、天板の下面側に袋ナットをカシメにて固定することがあるが、手間とコストがかかる。
【００１０】
本発明の目的は、振れ止め用のケース固定金具を接続金具と補強部材を介して外装ケースの天板と背面板と左右の側板とに固定する壁面固定構造を提供することである。
【課題を解決するための手段】
【００１１】
請求項１の壁面固定構造は、天板と背面板と前面板と左右の側板とからなる外装ケースの内部に貯湯タンクを内蔵した貯湯ユニットを建物の壁面に固定するための壁面固定構造において、前記外装ケースを建物の壁面に固定するためのケース固定金具と、前記外装ケースの内面に固定された補強部材と、前記ケース固定金具と補強部材とを接続固定するための接続金具とを備え、前記補強部材は、外装ケースのうちの前記天板と背面板と左右の側板とに固着されていることを特徴としている。
【００１２】
請求項２の壁面固定構造は、請求項１の発明において、前記補強部材は、前記天板と背面板と左右の側板の鉛直壁部に固着されていることを特徴としている。
【００１３】
請求項３の壁面固定構造は、請求項１又は２の発明において、前記接続金具は、前記背面板に固着される鉛直板部と、この鉛直板部の上端から天板の上面側へ屈曲され且つ前記天板との間に所定の隙間を空けて位置する水平板部とを有し、前記鉛直板部が前記背面板を挟んで前記補強部材にビス固定されていると共に、前記水平板部に前記ケース固定金具がビス固定されていることを特徴としている。
【発明の効果】
【００１４】
請求項１の発明によれば、外装ケースを建物の壁面に固定するためのケース固定金具と、外装ケースの内面に固定された補強部材と、ケース固定金具と補強部材とを接続固定するための接続金具とを備え、前記補強部材は、外装ケースのうちの前記天板と背面板と左右の側板とに固着されているため次の効果を奏する。
【００１５】
ケース固定金具を天板に直接固定する構造でなく、外装ケースの内面に固定された補強部材と接続金具を介して外装ケースに固定する構造であるため、天板にビス穴を形成することなく、ケース固定金具を外装ケースに固定することが可能になる。そのため、天板上の雨水が外装ケース内に侵入することがなく、外装ケース内の錆の発生や電気信号系がショートする等の問題が生じない。
【００１６】
しかも、補強部材は、外装ケースのうちの前記天板と背面板と左右の側板とに固着されているため、地震荷重に対する十分な強度、剛性を確保することができる。
【００１７】
請求項２の発明によれば、前記補強部材は、天板と背面板と左右の側板の鉛直壁部に固着されているため、ビス穴を前記鉛直壁部に形成することができるから、ビス穴から外装ケースの内部への雨水の侵入が生じない。
【００１８】
請求項３の発明によれば、接続金具は、背面板に固着される鉛直板部と、前記天板との間に所定の隙間を空けて位置する水平板部とを有し、前記鉛直板部が背面板を挟んで補強部材にビス固定され、前記水平板部にケース固定金具がビス固定されているため、水平板部にケース固定金具を固定するビスを天板に貫通させる必要がないから、天板上の雨水が外装ケース内へ侵入することがない。
【００１９】
しかも、接続金具を取り外すと、ケース固定金具と天板との間に所定の隙間が形成されるため、貯湯ユニットを交換するような場合にケース固定金具を取り外す必要がない。
【図面の簡単な説明】
【００２０】
【図１】本発明の実施例に係る貯湯ユニットの斜視図である。
【図２】貯湯ユニットの内部機器の一部を示す斜視図である。
【図３】外装ケースの要部と壁面固定構造の斜視図である。
【図４】補強部材の斜視図である。
【図５】接続金具の平面図である。
【図６】接続金具の背面図である。
【図７】接続金具と背面板と天板の要部の縦断面図である。
【図８】ケース固定金具の平面図である。
【図９】ケース固定金具の背面図である。
【図１０】図９の矢印Ｘから視た矢視図である。
【図１１】図３のXI−XI線断面部分図である
【発明を実施するための形態】
【００２１】
以下、本発明を実施するための形態について実施例に基づいて説明する。
【実施例】
【００２２】
図１〜図３に示すように、貯湯ユニット１は、外装ケース２の内部に、貯湯タンク３、補助熱源機４、ヒートポンプ式熱源機、配管類、バルブ類、複数のポンプ、センサ類等を収納したものである。尚、以下、図３に示す前後左右を前後左右として説明する。
【００２３】
外装ケース２は、内部の複数のフレーム５と天板６と背面板７と前面板８と左右の側板９，１０とからなる縦長のほぼ直方体状のケースである。前面板８は着脱可能に構成されている。貯湯タンク３は外装ケース２の後部の内部に収納されている。この貯湯ユニット１は、その左側の側板１０を建物の壁面Ｗに接近させた状態に配設されている。
【００２４】
この貯湯ユニット１の耐震性を高めるため、外装ケース２の天板６と背面板７とが連結される後上端の稜線部の近傍部を建物の壁面Ｗに固定する壁面固定構造２０が設けられている。尚、重量の大きな貯湯タンク３が外装ケース２内の後部に配置されている関係上、外装ケース２の後端部を壁面固定構造２０により建物の壁面Ｗに固定する。
【００２５】
この壁面固定構造２０は、外装ケース２を建物の壁面Ｗに固定するためのケース固定金具２１と、外装ケース２の内面に固定された補強部材２２と、ケース固定金具２１と補強部材２２とを接続固定するための接続金具２８とを備え、補強部材２２は、外装ケース２のうちの天板６と背面板７と左右の側板９，１０とに固着されている。
【００２６】
図４に示すように、補強部材２２は、帯状板材を成形したもので、背面板７の上端部内面に当接する背面板部２２ａと、背面板部２２ａから屈曲して前方へ延び且つ右側板９の上端部内面に当接する右側板部２２ｂと、この右側板部２２ｂの前端部分を外側へクランク状に屈曲させた右屈曲部２２ｃと、背面板部２２ａから屈曲して前方へ延び且つ左側板１０の上端部内面に当接する左側板部２２ｄ  と、この左側板部２２ｄの前端部分を外側へクランク状に屈曲させた左屈曲部２２ｅとを有する。
【００２７】
天板６は、その外周部から小さい所定幅だけ下方へ鉛直に下がる鉛直壁部６ａを有し、天板６はその鉛直壁部６ａを背面板７と左右の側板９，１０の上端部に外嵌させた状態に装着されてビスで固定される。右屈曲部２２ｃと左屈曲部２２ｅの上端近傍部には、ビス穴２３が夫々形成されている。背面板部２２ａの左寄り部位と右寄り部位には、２つのビス穴２４ａが形成されている。
【００２８】
図１１に示すように、補強部材２２は前記のビス穴２４ａに螺合される２本のビス２４で背面板７の上端部にビス固定され、補強部材２２の右屈曲部２２ｃは、右側板９の上端部と天板６の鉛直壁部６ａにビス２５にて固定され、補強部材２２の左屈曲部２２ｅは、左側板１０の上端部と天板６の鉛直壁部６ａにビス２６にて固定されている。つまり、補強部材２２は、天板６の鉛直壁部６ａと背面板７と左右の側板９，１０の鉛直壁部に固着されている。
【００２９】
図５〜図７に示すように、接続金具２８は、背面板７に固定される鉛直板部２８ａと、この鉛直板部２８ａの上端から天板６の上面側へ屈曲され且つ天板６との間に所定の隙間Ｇを空けて位置する水平板部２８ｂとを有する。
【００３０】
水平板部２８ｂの左端側部分と右端側部分には、夫々、４つのビス穴２９が形成されている。鉛直板部２８ａの下端部には傾斜部を介してやや前側へシフトさせた固定板部２８ｃが形成され、この固定板部２８ｃの左寄り部位と右寄り部位には前記２つのビス穴２４ａに対応する２つのビス穴２８ｄが形成され、この固定板部２８ｃが２つのビス穴２８ｄに挿通されて２つのビス穴２４ａに螺合される前記２本のビス２４で背面板７の上端部に補強部材２２の背面板部２２ａと共締めにより固定されている（図７、図１１参照）。
【００３１】
図８〜図１０に示すように、ケース固定金具２１は、帯状板材の端部側の約１／５部分を直角に屈曲させてＬ形に形成したものであり、水平板部２１ａと鉛直板部２１ｂとを有する。水平板部２１ａには、平行な２本のスリット２１ｃがほぼ全長に亙って形成され、これらスリット間間隔Ｂは、接続金具２８の４つのビス穴２９のビス穴間間隔Ａ（図５参照）と等しく設定されている。鉛直板部２１ｂには建物の壁面Ｗにビス固定するための４つのビス穴２１ｄが形成されている。
【００３２】
ケース固定金具２１の２本のスリット２１ｃに通した４本のビス３２を接続金具２８の水平板部２８ｂの左側の４つのビス穴２９に軽く螺合させた状態で、ケース固定金具２１の左右方向位置を調節し、ケース固定金具２１の鉛直板部２１ｂを建物の壁面Ｗに当接させた状態にして、上記の４本のビス３２を締結することで、ケース固定金具２１が接続金具２８に固定される。その後、ケース固定金具２１の鉛直板部２１ｂの４つのビス穴２１ｄに通した４本のビス３３を建物の壁面Ｗに螺合することで、ケース固定金具２１が建物の壁面Ｗに固定される( 図３参照）。
【００３３】
以上説明した壁面固定構造２０の作用、効果について説明する。
壁面固定構造２０は、外装ケース２の強度、剛性の高い稜線部の近傍部を建物の壁面Ｗに固定する構造であるため、また、重量の大きい貯湯タンク３が収容されている外装ケース２の後部側の稜線部の近傍部を建物の壁面Ｗに固定する構造であるため、耐震性を強化する上で有利である。
【００３４】
ケース固定金具２１を天板６に直接固定する構造でなく、外装ケース２の内面に固定された補強部材２２と接続金具２８を介して、外装ケース２の天板６と背面板７と左右の側板９，１０の鉛直壁部に固定する構造であるため、天板６の上面部にビス穴を形成することなく、ケース固定金具２１を外装ケース２に固定することが可能になる。
【００３５】
そのため、天板６上の雨水がビス穴から外装ケース２内に侵入することがなく、外装ケース２内の錆の発生や電気信号系がショートする等の問題が生じない。
しかも、補強部材２２は、外装ケース２の天板６と背面板７と左右の側板９，１０とに固着されているため、地震荷重に対する十分な強度、剛性を確保することができる。
【００３６】
接続金具２８は、背面板７に固着される鉛直板部２８ａと、天板６との間に所定の隙間Ｇを空けて位置する水平板部２８ｂとを有し、鉛直板部２８ａが背面板７を挟んで補強部材２２にビス固定され、水平板部２８ｂにケース固定金具２１がビス固定されているため、水平板部２８ｂにケース固定金具２１を固定するビス３２を天板６に貫通させる必要がないから、天板６上の雨水がビス穴から外装ケース２内へ侵入することがない。
【００３７】
しかも、接続金具２８を取り外すと、ケース固定金具２１と天板６との間に所定の隙間Ｇが形成されるため、貯湯ユニット１を交換するような場合にケース固定金具２１を取り外す必要がない。
【００３８】
ケース固定金具２１の水平板部２１ａにそのほぼ全長に亙る２本のスリット２１ｃを形成したため、貯湯ユニット１と建物の壁面Ｗとの間の距離が一定でなく、種々の距離となる場合にも適用可能である。
また、接続金具２８の水平板部２８ｂの左端側部分と右端側部分に、夫々、４つのビス穴２９を形成したため、建物の壁面Ｗが外装ケース２の右側板９の近傍に位置するような場合にも適用可能である。
【００３９】
次に、前記実施例を変更する例について説明する。
１）前記実施例では壁面固定構造２０を１組設けたが、２組以上設けてもよい。
この場合、外装ケース２の前上端の稜線部の近傍を建物の壁面に固定する壁面固定構造を追加的に設けることが望ましい。
２）その他、当業者ならば、本発明の趣旨を逸脱することなく、前記実施例に種々の変更を付加した形態で実施可能で、本発明はそのような変更形態も包含するものである。
【符号の説明】
【００４０】
１      貯湯ユニット
２      外装ケース
３      貯湯タンク
６      天板
６ａ    鉛直壁部
７      背面板
８      前面板
２０    壁面固定構造
２１    ケース固定金具
２２    補強部材
２８    接続金具
２８ａ  鉛直壁部
２８ｂ  水平壁部
【図１】
2018031519.tif 000003
【図２】
2018031519.tif 000004
【図３】
2018031519.tif 000005
【図４】
2018031519.tif 000006
【図５】
2018031519.tif 000007
【図６】
2018031519.tif 000008
【図７】
2018031519.tif 000009
【図８】
2018031519.tif 000010
【図９】
2018031519.tif 000011
【図１０】
2018031519.tif 000012
【図１１】
2018031519.tif 000013